(57)【要約】【課題】漏れの抑制機能を向上できる吸収性物品を提供する。【解決手段】吸収性物品は、腹側から背側にかけて着用者の股部をシート状の本体部で覆う吸収性物品であって、腹側縁部、背側縁部、腹側縁部と背側縁部との間で延びる一対の股側縁部、及び吸収体が配置された吸収領域を有する前記本体部と、一対の股側縁部に沿って本体部にそれぞれ設けられ、吸収領域からの対象物の漏れを抑制する一対の抑制部と、本体部に対して、少なくとも腹側縁部及び背側縁部の一方側に設けられる帯状の接合部材と、を備え、接合部材は、一対の抑制部同士の間で延びるよう設けられ、接合部材の両端部は、抑制部の長手方向の一端側において、抑制部と本体部との間に配置される。【選択図】図２
2020000703.tif 000002
【特許請求の範囲】
【請求項１】
腹側から背側にかけて着用者の股部をシート状の本体部で覆う吸収性物品であって、
腹側縁部、背側縁部、前記腹側縁部と前記背側縁部との間で延びる一対の股側縁部、及び吸収体が配置された吸収領域を有する前記本体部と、
一対の前記股側縁部に沿って前記本体部にそれぞれ設けられ、前記吸収領域からの対象物の漏れを抑制する一対の抑制部と、
前記本体部に対して、少なくとも前記腹側縁部及び前記背側縁部の一方側に設けられる帯状の接合部材と、を備え、
前記接合部材は、一対の前記抑制部同士の間で延びるよう設けられ、
前記接合部材の両端部は、前記抑制部の長手方向の一端側において、前記抑制部と前記本体部との間に配置される、吸収性物品。
【請求項２】
前記接合部材は、二つ折りの状態で前記本体部に設けられ、前記吸収領域側の縁部が前記吸収領域に対して開口可能に構成される、請求項１に記載の吸収性物品。
【請求項３】
前記抑制部は、前記長手方向の前記一端側に前記本体部と固定される固定部を有し、
前記接合部材の前記両端部は、前記固定部と隣り合う位置にて、前記抑制部と前記本体部との間に配置される、請求項１又は２に記載の吸収性物品。
【請求項４】
前記接合部材は、前記吸収領域の縁部に沿って配置される、請求項１〜３の何れか一項に記載の吸収性物品。
【請求項５】
前記接合部材の接合面は、当該接合面の接合力を抑制する接合抑制部材を有する、請求項１〜４の何れか一項に記載の吸収性物品。
【発明の詳細な説明】
【技術分野】
【０００１】
本発明は、吸収性物品に関する。
【背景技術】
【０００２】
従来、吸収性物品として特許文献１に記載されたものが知られている。特許文献１には、腹側から背側にかけて着用者の股部をシート状の本体部で覆う吸収性物品が記載されている。この吸収性物品は、一対の股側縁部に沿って本体部にそれぞれ設けられ、吸収領域からの尿や便などの対象物の漏れを抑制する一対の抑制部材を備える。
【先行技術文献】
【特許文献】
【０００３】
【特許文献１】特開平１１−３０５７８１号公報
【発明の概要】
【発明が解決しようとする課題】
【０００４】
ここで、吸収性物品において、本体部から対象物が漏れることを抑制する機能を更に高めることが求められていた。すなわち、漏れの抑制機能を向上できる吸収性物品を提供することが要請されていた。
【課題を解決するための手段】
【０００５】
本発明の一形態に係る吸収性物品は、腹側から背側にかけて着用者の股部をシート状の本体部で覆う吸収性物品であって、腹側縁部、背側縁部、腹側縁部と背側縁部との間で延びる一対の股側縁部、及び吸収体が配置された吸収領域を有する前記本体部と、一対の股側縁部に沿って本体部にそれぞれ設けられ、吸収領域からの対象物の漏れを抑制する一対の抑制部と、本体部に対して、少なくとも腹側縁部及び背側縁部の一方側に設けられる帯状の接合部材と、を備え、接合部材は、一対の抑制部同士の間で延びるよう設けられ、接合部材の両端部は、抑制部の長手方向の一端側において、抑制部と本体部との間に配置される。
【０００６】
本発明の一形態に係る吸収性物品は、本体部に対して、少なくとも腹側縁部及び背側縁部の一方側に設けられる帯状の接合部材を備えている。接合部材は、一対の抑制部同士の間で延びるよう設けられる。このような構成により、着用者が吸収性物品を着用したとき、接合部材は、着用者の腹側の部分及び背側の部分の少なくとも一方に接合される。これにより、本体部のうちの一対の抑制部同士の間の部分は、接合部材を介して着用者の体の一部に固定される。これにより、接合部材が設けられた箇所では、対象物が本体部から漏れることを抑制することができる。また、接合部材の両端部は、抑制部の長手方向の一端側において、抑制部と本体部との間に配置される。このような構成のうち、一対の抑制部が、吸収領域と反対側の第１の縁部より股側縁部に向かって本体部に固定され、吸収領域側の第２の縁部が吸収領域に対して開口可能に構成されている場合、接合部材が着用者に接合される事に伴って着用者側に引っ張られると、抑制部の長手方向の一端側が、接合部材に伴って着用者側に立ち上がる。抑制部の長手方向の一端側は、立ち上がりにくいため着用者の体との間に隙間ができ易い部分であるが、接合部材が当該部分を立ち上げることができるため、着用者との間の隙間を小さくすることができる。これにより、吸収性物品の漏れの抑制機能を向上することができる。
【０００７】
接合部材は、二つ折りの状態で本体部に設けられ、吸収領域側の縁部が吸収領域に対して開口可能に構成されてよい。
【０００８】
抑制部は、長手方向の一端側に本体部と固定される固定部を有し、接合部材の両端部は、固定部と隣り合う位置にて、抑制部と本体部との間に配置されてよい。
【０００９】
接合部材は、吸収領域の縁部に沿って配置されてよい。
【００１０】
接合部材の接合面は、当該接合面の接合力を抑制する接合抑制部を有してよい。
【発明の効果】
【００１１】
本発明によれば、漏れの抑制機能を向上できる吸収性物品を提供することができる。
【図面の簡単な説明】
【００１２】
【図１】図１は、本実施形態に係る吸収性物品であるおむつを示す斜視図である。
【図２】図２は、おむつの概略平面図である。
【図３】図３（ａ）は図２に示すＩＩＩａ−ＩＩＩａ線に沿った拡大断面図であり、図３（ｂ）は図２に示すＩＩＩｂ−ＩＩＩｂ線に沿った断面図である。
【図４】図４は、図２に示すＩＶ−ＩＶ線に沿った断面図である。
【図５】図５は、接合部材の層構成を示す拡大断面図である。
【図６】変形例に係るおむつを示す断面図であり、図３に対応する断面図である。
【発明を実施するための形態】
【００１３】
以下、添付図面を参照して、本発明の実施形態について詳細に説明する。なお、以下の説明において、同一又は相当要素には同一符号を付し、重複する説明を省略する。
【００１４】
図１は、本実施形態に係る吸収性物品であるおむつ１を示す斜視図である。図２は、おむつ１の概略平面図である。図３（ａ）は図２に示すＩＩＩａ−ＩＩＩａ線に沿った拡大断面図であり、図３（ｂ）は図２に示すＩＩＩｂ−ＩＩＩｂ線に沿った断面図である。図４は、図２に示すＩＶ−ＩＶ線に沿った断面図である。
【００１５】
おむつ１は、腹側から背側にかけて着用者の股部をシート状の本体部２で覆う部材である。それにより、おむつ１は、着用者の股部から排出された対象物の吸収、及び漏れ防止を行う。なお、おむつ１の対象物は、水分、固形物、半固形物なのであり、例えば尿や便などが挙げられる。図１〜図４に示すように、おむつ１は、本体部２と、抑制部３Ａ，３Ｂと、接合部材４Ａ，４Ｂと、を備える。
【００１６】
図３に示すように、本体部２は、バックシート２３と、バックシート２３の内側に積層された液体透過性のトップシート２２と、バックシート２３とトップシート２２との間に収容された液体吸収性の高分子吸収体を含む吸収層２１とを有する。バックシート２３は、一般的に、液体不透過性フィルムと不織布層との積層体から構成され、液体不透過性フィルムが吸収層２１側、不織布層がおむつ１本体の外面側に存在する。すなわち、おむつ１の着用時に、トップシート２２は、おむつ１本体の内面側で着用者の皮膚に隣接して、又は近い側に配置され、バックシート２３（その不織布層）は、おむつ１本体の外面側で着用者の衣服等に隣接して、又は近い側に配置される。ここで、バックシート２３に用いられる不織布層としては、例えば、スパンボンド法等によって作製された、質量が１５〜４０ｇ／ｍ２、好ましくは、２５〜３５ｇ／ｍ２、繊維密度が０．０６〜０．１ｇ／ｃｍ３、好ましくは、０．０７〜０．０９ｇ／ｃｍ３の範囲である、ポリオレフィンやＰＥＴ等の不織布を用いることができる。この場合、この不織布層を連結部との固定に使用することが可能である。
【００１７】
図１及び図２に示すように、本体部２は、腹側縁部１１と、背側縁部１２と、一対の股側縁部１３Ａ，１３Ｂと、吸収領域１４と、を備える。腹側縁部１１は、着用者の腹側に配置される帯状の部分である。背側縁部１２は、着用者の背側に配置される帯状の部分である。本実施形態のおむつ１はオープン型のおむつであるため、腹側縁部１１及び背側縁部１２は、互いに分離されている。背側縁部１２の横側の端部１２ａ，１２ｂには、ファスナ部材１６Ａ，１６Ｂがそれぞれ設けられている。ファスナ部材１６Ａは、腹側縁部１１の横側の端部１１ａ付近の領域に接合される。ファスナ部材１６Ｂは、腹側縁部１１の横側の端部１１ｂ付近の領域に接合される。
【００１８】
着用者がおむつ１を装着するときは、腹側縁部１１が着用者の腹側の部位に巻かれ、背側縁部１２が着用者の背中側の部位に巻かれ、ファスナ部材１６Ａ，１６Ｂを介して腹側縁部１１と背側縁部１２とが固定される。股側縁部１３Ａ，１３Ｂは、腹側縁部１１と背側縁部１２との間で延びる縁部である。股側縁部１３Ａ，１３Ｂは、着用者の内股部付近の脚部付近に配置される。股側縁部１３Ａ，１３Ｂには伸縮可能な加工が施されている。
【００１９】
なお、以降の説明においては、図２に示すように、開いた状態の本体部２に対してＸＹ軸を設定して説明を行う場合がある。Ｘ軸方向は、股側縁部１３Ａ，１３Ｂが対向する方向であり、股側縁部１３Ａ側が正側であり、股側縁部１３Ｂが負側である。Ｙ軸方向は、腹側縁部１１と背側縁部１２とが対向する方向であり、背側縁部１２側が正側であり、腹側縁部１１側が負側である。また、Ｘ軸方向における本体部２の中心線ＣＬ１、及びＹ軸方向における本体部２の中心線ＣＬ２を設定する。
【００２０】
吸収領域１４は、対象物の非固形成分を吸収する吸収体が配置された領域である。吸収領域１４は、腹側縁部１１、背側縁部１２及び股側縁部１３Ａ，１３Ｂで囲まれる位置に設けられる。吸収領域１４は、前述の吸収層２１が配置されることによって構成される（図３参照）。吸収領域１４のＸ軸方向における両端部は、股側縁部１３Ａ，１３Ｂから離間した位置に配置される。吸収領域１４のＹ軸方向の正側の端部は、背側縁部１２の位置に配置され、Ｙ軸方向の負側の端部は、腹側縁部１１の位置に配置される。ただし、吸収領域１４のＹ軸方向の端部の配置は特に限定されず、腹側縁部１１及び背側縁部１２の位置まで達していなくともよい。
【００２１】
抑制部３Ａ，３Ｂは、一対の股側縁部１３Ａ，１３Ｂに沿って本体部２にそれぞれ設けられ、吸収領域１４からの対象物の漏れを抑制する部材である。抑制部３Ａ，３Ｂは、バックシート２３と同様な材料で構成されてよい。抑制部３Ａ，３Ｂは、股側縁部１３Ａ，１３ＢよりもＸ軸方向における中心線ＣＬ１寄りの位置に離間された位置にて、Ｙ軸方向に延びるように配置される。抑制部３Ａ，３Ｂは、吸収領域１４と反対側の第１の縁部３ａ，３ａで本体部２に固定され、吸収領域１４側の第２の縁部３ｂ，３ｂが吸収領域１４に対して開口可能に構成される（図４参照）。
【００２２】
抑制部３Ａ，３Ｂは、第１の縁部３ａ，３ａ側にて本体部２に固定される。すなわち、抑制部３Ａ，３Ｂを構成する部材のうち、第１の縁部３ａ，３ａよりも股側端に向かう部分は、本体部２に対して溶着や接着剤などの接合方法によって固定される。一方、抑制部３Ａ，３Ｂのうち第１の縁部３ａ，３ａよりも中心線ＣＬ１側の部分は、本体部２に対して固定されていない。従って、着用時には、抑制部３Ａ，３Ｂは、第２の縁部３ｂ，３ｂが本体部２から離間するように持ち上がる。これにより、抑制部３Ａ，３Ｂは、第２の縁部３ｂ，３ｂ側にて開口する。抑制部３Ａ，３ＢのＹ軸方向の正側の縁部３ｃ，３ｃ及び負側の縁部３ｄ，３ｄを含む領域は、本体部２に対して固定される。これにより、抑制部３Ａ，３Ｂは、Ｙ軸方向（長手方向）の両端部に、本体部２と固定される固定部２６，２６及び固定部２７、２７を有する。図２において固定部２６，２６及び固定部２７，２７に対してハッチングが付されている。抑制部３Ａ，３Ｂの第２の縁部３ｂ，３ｂ付近は、Ｙ軸方向に伸縮可能な加工が施されている。従って、抑制部３Ａ，３Ｂの第２の縁部３ｂ，３ｂ付近の部分は、着用者の内股付近の脚部にフィットする。
【００２３】
抑制部３Ａ，３Ｂの第１の縁部３ａ，３ａは、吸収領域１４よりも股側縁部１３Ａ，１３Ｂ寄りの位置に配置される。抑制部３Ａ，３Ｂの第２の縁部３ｂ，３ｂは、吸収領域１４のＸ軸方向の端部よりも、中心線ＣＬ１寄りの位置に配置される。ただし、抑制部３Ａ，３Ｂの吸収領域１４との位置関係は特に限定されない。抑制部３Ａ，３ＢのＹ軸方向の正側の縁部３ｃ，３ｃは、背側縁部１２の位置に配置され、Ｙ軸方向の負側の縁部３ｄ，３ｄは、腹側縁部１１の位置に配置される。抑制部３Ａ，３Ｂの縁部３ｃ，３ｃは、吸収領域１４よりもＹ軸方向の正側に配置され、縁部３ｄ，３ｄは、吸収領域１４よりもＹ軸方向の負側に配置される。ただし、抑制部３Ａ，３Ｂの吸収領域１４との位置関係は特に限定されない。
【００２４】
接合部材４Ａは、本体部２の背側縁部１２側に設けられる帯状の部材である。接合部材４Ｂは、本体部２の腹側縁部１１側に設けられる帯状の部材である。接合部材４Ａ，４Ｂは、一方の面に接合面を有する片面テープによって構成される。接合部材４Ａ，４Ｂは、本体部２のトップシート２２の表面上に貼り付けられるように配置される（図３参照）。接合部材４Ａ，４Ｂは、抑制部３Ａ，３Ｂ同士の間で延びるよう設けられる。
【００２５】
接合部材４Ａの両端部４ａ，４ｂは、抑制部３Ａ，３ＢのＹ軸方向の正側の端部側において、抑制部３Ａ，３Ｂと本体部２との間に配置される。接合部材４Ｂの両端部４ａ，４ｂは、抑制部３Ａ，３ＢのＹ軸方向の負側の端部側において、抑制部３Ａ，３Ｂと本体部２との間に配置される。すなわち、接合部材４Ａ，４Ｂの両端部４ａ，４ｂ付近の領域は、抑制部３Ａ，３Ｂの内面側に潜り込むように配置される。接合部材４Ａ，４Ｂの潜り込み量は特に限定されないが、潜り込み量が多い方が好ましい。例えば、接合部材４Ａ，４Ｂの端部４ａ，４ｂが、抑制部３Ａ，３Ｂにおいて本体部２に固定されていない領域のうち、第１の縁部３ａ，３ａ寄りの位置に配置されることが好ましい。
【００２６】
接合部材４Ａ，４Ｂは、二つ折りの状態で本体部２に設けられる（図３及び図４参照）。また、二つ折り状態の接合部材４Ａ，４Ｂは、吸収領域１４側の縁部４ｃ，４ｃが吸収領域１４に対して開口可能に構成される。すなわち、接合部材４Ａ，４Ｂの吸収領域１４とは反対側、すなわち中心線ＣＬ２とは反対側の縁部４ｄ，４ｄが折り目部となる。接合部材４Ａ，４Ｂの縁部４ｃ，４ｃは、折り畳まれる前段階の接合部材４Ａ，４Ｂの幅方向における両縁部４ｅ，４ｆによって構成される。縁部４ｃ，４ｃでは、縁部４ｅ，４ｆ同士が互いに固定されていないことにより、互いに近接及び離間可能である。
【００２７】
接合部材４Ａは、背側縁部１２に対応する位置に配置され、接合部材４Ｂは、腹側縁部１１に対応する位置に配置されている。接合部材４Ａ，４Ｂの両端部４ａ，４ｂは、固定部２６，２７と隣り合う位置にて、抑制部３Ａ，３Ｂと本体部２との間に配置される。なお、固定部２６，２７と隣り合う位置とは、抑制部３Ａ，３Ｂが固定部２６，２７と接触する位置であってもよく、固定部２６，２７から僅かに離間する位置であってもよい。また、接合部材４Ａ，４Ｂは、吸収領域１４のＹ軸方向に対向する縁部１４ａ，１４ｂに沿って配置される。なお、接合部材４Ａ，４Ｂが縁部１４ａ，１４ｂに沿って配置された状態とは、接合部材４Ａ，４Ｂが、縁部１４ａ，１４ｂ付近の位置において、当該縁部１４ａ，１４ｂが延びる方向と略同方向に延びるように配置された状態である。本実施形態では、縁部１４ａ，１４ｂはＸ軸方向に沿って延びているため、接合部材４Ａ，４ＢもＸ軸方向に沿って延びている。また、本実施形態において、接合部材４Ａ，４Ｂは、縁部１４ａ，１４ｂ付近の位置うち、吸収領域１４と重なる位置に配置されている。このような構成によれば、対象物が縁部１４ａ，１４ｂから漏れる前に接合部材４Ａ，４Ｂで堰き止められる。これにより、接合部材４Ａ，４Ｂは、対象物を吸収領域１４の範囲内に留めることができる。ただし、接合部材４Ａ，４Ｂは、縁部１４ａ，１４ｂ付近のうち、吸収領域１４と重ならない位置、又は接合部材４Ａ，４Ｂの一部のみが吸収領域１４と重なるような位置に配置されてよい。
【００２８】
図５は、接合部材４Ａの層構成を示す拡大断面図である。図５（ａ）に示すように、接合部材４Ａは、紙などのシートによって構成されるベース部材３１と、接着剤等によって構成される接合層３２と、を備える。二つ折りの状態では、谷側にベース部材３１が配置され、山側に接合層３２が配置される。従って、接合部材４Ａは、接合層３２にて本体部２と接触することで、本体部２に接合される。また、接合部材４Ａは、接合層３２にて抑制部３Ａ，３Ｂと接触することで、抑制部３Ａ，３Ｂと接合される。また、着用者がおむつ１を着用した時、接合部材４Ａは接合層３２にて着用者に接触することで、着用者に貼付けられる。なお、図５（ｂ）に示すように、接合部材４Ａの接合面３２ａは、当該接合面３２ａの接合力を抑制する接合抑制部材３３を有してよい。接合抑制部材３３は、接合力を有さない部材である。接合抑制部材３３は接合面３２ａの一部に設けられ、且つ、接合面３２ａの他の一部を露出させる。これにより、接合面３２ａの露出面積が減少するため、接合面３２ａ全体としての接合力が低下する。接合抑制部材３３は、接合面３２ａ上にメッシュ状、またはドット状に形成されてよい。このような接合抑制部材３３としてコットン、セルロース、レーヨン、ポリオレフィン、ポリエチレンテレフタレートなど吸収物品を構成する素材や、シリコーン、ウレタンなどの材質が適用される。あるいは、接合抑制部材３３として、接合面３２ａ全面（又は一部の面）に塗布されることで、接合面３２ａの接合力を低下させるような層が採用されてもよい。なお、接合部材４Ｂは、接合部材４Ａと同趣旨の構成を有する。
【００２９】
接合部材４Ａ，４Ｂは、着用者の肌に直接触れる部分である。従って、接合部材４Ａ，４Ｂとして、皮膚に対するダメージが低く、且つ、使用時の不快感が低い部材が採用されてよい。例えば、接合部材４Ａ，４Ｂ用いられる接着剤は、放射線硬化されたシリコーンゲルを含む接着剤であって、シリコーンゲルが、架橋されたポリジオルガノシロキサン材料を含んでよい。また、ポリジオルガノシロキサン材料を含む組成物を、ポリジオルガノシロキサン材料を架橋するのに十分な線量の、電子線照射及びガンマ線照射のうちの少なくとも１つに曝露することにより形成されてよい。また、ポリジオルガノシロキサン材料がポリジメチルシロキサンを含んでよい。ポリジメチルシロキサンが１種以上のシラノール末端ポリジメチルシロキサン、１種以上の非官能性ポリジメチルシロキサン、及びこれらの組み合わせからなる群から選択されてよい。ポリジメチルシロキサンが１種以上の非官能性ポリジメチルシロキサンからなってよい。接着剤は、更にシリケート樹脂粘着付与剤を含んでよい。接着剤は、更にポリ（ジメチルシロキサン−オキサミド）直鎖コポリマーを含んでよい。ポリジオルガノシロキサン材料は、２５℃において１，０００，０００ｍＰａ・秒以下の動的粘度を有するポリジオルガノシロキサン流体を含んでよい。ポリジオルガノシロキサン材料が、２５℃において１００，０００センチストーク以下の動粘度を有するポリジオルガノシロキサン流体からなってよい。接着剤は、皮膚剥離接着手順に従って測定されるものとして、２．５４センチメートル当たり２００グラム以下の、ヒト皮膚からの１８０度剥離接着力を有してよい。例えば、接合部材４Ａ，４Ｂに適用される接着剤として、未端シラノール官能性ＰＤＭＳ流体と、ＭＱ粘着付与剤と、増粘剤と、が含まれていてよい。一例として、接着剤は、１００重量部に対して未端シラノール官能性ＰＤＭＳ流体を８７重量部、ＭＱ粘着付与剤を１３重量部含有している。また、接着剤は、ＰＤＭＳ流体１００部当たり、増粘剤を１０重量部含有してよい。
【００３０】
次に、本実施形態に係るおむつ１の作用・効果について説明する。
【００３１】
おむつ１は、本体部２に対して、腹側縁部１１及び背側縁部１２に設けられる帯状の接合部材４Ａ，４Ｂを備えている。接合部材４Ａ，４Ｂは、一対の抑制部３Ａ，３Ｂ同士の間で延びるよう設けられる。このような構成により、着用者がおむつ１を着用したとき、接合部材４Ａ，４Ｂは、着用者の腹側の部分及び背側の部分に接合される。これにより、本体部２のうちの一対の抑制部３Ａ，３Ｂ同士の間の部分は、接合部材４Ａ，４Ｂを介して着用者の体の一部に固定される。これにより、接合部材４Ａ，４Ｂが設けられた箇所では、対象物が本体部２から漏れることを抑制することができる。また、接合部材４Ａ，４Ｂの両端部は、抑制部３Ａ，３Ｂの吸収領域１４側の第２の縁部３ｂ，３ｂが吸収領域１４に対して開口可能に構成されて、自由端である第２の縁部３ｂ，３ｂがＣＬ１側へ倒れている場合、これらの長手方向の一端側において、抑制部３Ａ，３Ｂと本体部２との間に配置される。このような構成によれば、接合部材４Ａ，４Ｂが着用者に接合される事に伴って着用者側に引っ張られると、抑制部３Ａ，３Ｂの長手方向の一端側が、接合部材４Ａ，４Ｂに伴って着用者側に立ち上がる（例えば図４を参照）。抑制部３Ａ，３Ｂの長手方向の一端側は、立ち上がりにくいため着用者の体との間に隙間ができ易い部分であるが、接合部材４Ａ，４Ｂが当該部分を立ち上げることができるため、着用者との間の隙間を小さくすることができる。これにより、おむつ１の漏れの抑制機能を向上することができる。
【００３２】
また、接合部材４Ａ，４Ｂは、二つ折りの状態で本体部２に設けられ、吸収領域１４側の縁部４ｃ，４ｃが吸収領域１４に対して開口可能に構成される。このような構成によれば、接合部材４Ａ，４Ｂは、吸収領域１４側に開口する空間内で対象物を捕捉することができる。また、接合部材４Ａ，４Ｂの縁部４ｃ，４ｃが吸収領域１４側で開口することで、抑制部３Ａ，３Ｂを高く持ち上げることができる。
【００３３】
抑制部３Ａ，３Ｂは、長手方向の一端側に本体部２と固定される固定部２６，２７を有し、接合部材４Ａ，４Ｂの両端部４ａ，４ｂは、固定部２６，２７と隣り合う位置にて、抑制部３Ａ，３Ｂと本体部２との間に配置される。固定部２６，２７は、抑制部３Ａ，３Ｂが立ち上がりにくい部分である。接合部材４Ａ，４Ｂが当該位置に配置されることで、固定部２６，２７付近を立ち上げることができる。
【００３４】
接合部材４Ａ，４Ｂは、吸収領域１４の縁部１４ａ，１４ｂに沿って配置されてよい。このような構成によれば、接合部材が吸収領域の縁部付近で対象物を堰き止めることができる。このような構成は、接合部材４Ａ，４Ｂが縁部１４ａ，１４ｂから中心線ＣＬ２側に遠く離れたような構成に比して、吸収領域１４を広く使うことができる。また、このような構成は、接合部材４Ａ，４Ｂが縁部１４ａ，１４ｂから吸収領域１４の外側へ遠く離れたような構成に比して、吸収領域１４の外側へ対象物がはみ出ることを抑制できる。
【００３５】
接合部材４Ａ，４Ｂの接合面３２ａは、当該接合面３２ａの接合力を抑制する接合抑制部材３３を有する。このような構成によれば、着用者に対する接合面３２ａの接合力を適切に調整することができる。また、接合面３２ａの接合力を抑えることで、接合部材４Ａ，４Ｂを本体部２に設ける際に、位置決めを行い易くなる。
【００３６】
本発明は上述の実施形態に限定されるものではない。
【００３７】
例えば、図６に示す構成を採用してもよい。図６に示すおむつでは、接合部材４Ａが、吸収領域１４の外側へ向かって開口可能に設けられている。すなわち、接合部材４Ａの吸収領域１４側の縁部４ｃが折り目部となり、反対側の縁部４ｄが、接合部材４Ａの幅方向の両縁部４ｅ，４ｆによって構成される。
【００３８】
上述の実施形態では、背側の接合部材４Ａ及び腹側の接合部材４Ｂが両方設けられていたが、接合部材４Ａ，４Ｂの何れか一方のみが設けられ、他方が省略されてもよい。また、接合部材４Ａ，４Ｂは背側及び腹側のそれぞれ一箇所のみに設けられていたが、複数箇所に設けられていてよい。
【００３９】
上述の実施形態では、吸収性物品として、ファスナ部材１６Ａ，１６Ｂを介して腹側縁部１１と背側縁部１２が着脱可能なオープンタイプなおむつ１を例示した。これに代えて、吸収性物品としてパンツタイプ、パッドタイプのおむつが採用されてよい。また、吸収性物品は、おむつに限らずナプキン、尿漏れパッドなどであってもよい。また、対象物も経血、おりもの、汗などの体液であってよい。
【００４０】
上述の実施形態では、一対の抑制部３Ａ，３Ｂが、吸収領域１４と反対側の第１の縁部３ａ，３ａ側が本体部２に固定され、吸収領域１４側の第２の縁部３ｂ，３ｂが吸収領域１４に対して開口可能に構成されていた。これに代えて、一対の抑制部３Ａ，３Ｂは、吸収領域１４と反対側の第１の縁部３ａ，３ａが開口可能に構成されてもよい。このような構成では、第２の縁部３ｂ，３ｂ側が本体部２に固定されている。従って、接合部材４Ａ，４Ｂが着用者に接合される事に伴って着用者側に引っ張られても、抑制部３Ａ，３Ｂの長手方向の一端側が接合部材４Ａ，４Ｂに伴って着用者側に立ち上がる効果を得ることはできない。しかし、接合部材４Ａ，４Ｂは、一対の抑制部３Ａ，３Ｂ間の全域にわたって設けられるため、接合部材４Ａ，４Ｂが着用者に接合されたときの漏れ抑制機能は発揮することができる。なお、このような形態では、抑制部３Ａ，３Ｂを構成する帯状の部材を幅方向に二つ折りにして、一方の片部をトップシート２２に固定し、他方の片部を本体部２に対して非固定とする場合がある。当該形態では、本体部２に対して非固定とされる他方の片部が抑制部３Ａ、３Ｂとして機能する。このような形態では、固定部２６，２７において、抑制部３Ａ，３Ｂは、トップシート２２ではなく、トップシート２２に固定された方の片部自体に固定される。このように、抑制部３Ａ，３Ｂの固定部２６，２７では、抑制部３Ａ，３Ｂとして立ち上がる部分が本体部２に直接固定されていなくともよく、本体部２に固定された片部を介して固定されていてもよい。
【００４１】
上述の本実施形態では、抑制部３Ａ，３Ｂは、本体部２とは別部材として構成されていた。これに代えて、抑制部３Ａ，３Ｂが、本体部２を構成する部材と一体的に形成されていてもよい。例えば、バックシート２３やトップシート２２が延長されることで、当該バックシート２３やトップシート２２の部材が抑制部３Ａ，３Ｂを構成してもよい。
【符号の説明】
【００４２】
１…おむつ（吸収性物品）、２…本体部、３Ａ，３Ｂ…抑制部、４Ａ，４Ｂ…接合部材、２６，２７…固定部、３３…接合抑制部材。
【図１】
2020000703.tif 000003
【図２】
2020000703.tif 000004
【図３】
2020000703.tif 000005
【図４】
2020000703.tif 000006
【図５】
2020000703.tif 000007
【図６】
2020000703.tif 000008